(57)【要約】【課題】ユーザの使用環境の分析を介してユーザに適したユーザ適応型インターフェースを提供する。【解決手段】インターフェースが表示されたディスプレイに内蔵または装着されたカメラを介してユーザの映像を獲得し、獲得した映像を介してユーザの物理的な使用環境を分析し、分析結果に応じてディスプレイに表示されるインターフェースを設定・変更して提供することにより、殆どのディスプレイに備えられているカメラを利用してユーザ適応型インターフェースを提供することができる。【選択図】図２
2015132865.tif 000002
【特許請求の範囲】
【請求項１】
ディスプレイを利用するユーザの映像を獲得するカメラと、
前記映像に基づいて前記ディスプレイを利用する前記ユーザの物理的な使用環境または使用パターンを分析する分析部と、
前記物理的な使用環境または前記使用パターンに基づいて前記ディスプレイに表示するインターフェースを選択し提供するインターフェース提供部と、
を有するユーザ適応型インターフェース提供システム。
【請求項２】
前記分析部は、
前記映像から前記ディスプレイと前記ユーザ間の距離、前記ディスプレイに対する前記ユーザの相対的な位置を分析する請求項１に記載のユーザ適応型インターフェース提供システム。
【請求項３】
前記分析部は、
前記映像から前記ユーザの動きに応じた前記ユーザの移動方向及び前記ディスプレイに対する相対的な位置変化を分析する請求項１に記載のユーザ適応型インターフェース提供システム。
【請求項４】
前記インターフェース提供部は、
前記ディスプレイのサイズに基づいて前記インターフェースのサイズを選択し提供する請求項１に記載のユーザ適応型インターフェース提供システム。
【請求項５】
前記インターフェース提供部は、
前記ディスプレイに対する前記ユーザの相対的な位置に基づいて前記インターフェースの位置を選択し提供する請求項１に記載のユーザ適応型インターフェース提供システム。
【請求項６】
前記インターフェース提供部は、
前記ユーザの動きに応じて前記ディスプレイに表示されたインターフェースの位置を変更する請求項１に記載のユーザ適応型インターフェース提供システム。
【請求項７】
前記インターフェース提供部は、
前記ユーザの使用パターンに応じて、前記インターフェースの種類を選択し提供する請求項１に記載のユーザ適応型インターフェース提供システム。
【請求項８】
前記カメラは、
前記ディスプレイに内蔵または装着されていることを特徴とする請求項１に記載のユーザ適応型インターフェース提供システム。
【請求項９】
ディスプレイを利用するユーザの映像を獲得するステップと、
前記映像から前記ディスプレイを利用するユーザの物理的な使用環境または使用パターンを分析するステップと、
前記物理的な使用環境及び前記使用パターンのうち少なくとも一つに基づいて前記ディスプレイに表示されるインターフェースを選択し提供するステップと、
を有するユーザ適応型インターフェースの提供方法。
【請求項１０】
前記ディスプレイを利用するユーザの映像を獲得するステップでは、
前記ディスプレイに内蔵または装着されたカメラを用いて前記ユーザの映像を獲得する請求項９に記載のユーザ適応型インターフェースの提供方法。
【請求項１１】
前記ユーザの物理的な使用環境または使用パターンを分析するステップでは、
前記映像から前記ディスプレイと前記ユーザ間の距離及び前記ディスプレイに対する前記ユーザの相対的な位置のうち少なくとも一つを分析する請求項９に記載のユーザ適応型インターフェースの提供方法。
【請求項１２】
前記ユーザの物理的な使用環境または使用パターンを分析するステップでは、
前記映像から前記ディスプレイに対する前記ユーザの相対的な位置変化を分析する請求項９に記載のユーザ適応型インターフェースの提供方法。
【請求項１３】
前記インターフェースを選択し提供するステップでは、
前記ディスプレイのサイズに基づいて前記インターフェースのサイズを選択し提供する請求項９に記載のユーザ適応型インターフェースの提供方法。
【請求項１４】
前記インターフェースを選択し提供するステップでは、
前記ディスプレイに対する前記ユーザの相対的な位置に基づいて前記インターフェースの位置を選択し提供する請求項９に記載のユーザ適応型インターフェースの提供方法。
【請求項１５】
前記インターフェースを選択し提供するステップでは、
前記映像から獲得した前記ユーザの使用パターンに基づいて前記インターフェースの種類を選択し提供する請求項９に記載のユーザ適応型インターフェースの提供方法。
【請求項１６】
前記インターフェースを選択し提供するステップでは、
前記ユーザの動きに応じて、前記インターフェースの位置を持続的に変更する請求項９に記載のユーザ適応型インターフェースの提供方法。
【発明の詳細な説明】
【技術分野】
【０００１】
本発明は、ディスプレイを介して表示されるユーザインターフェースを選択し提供するシステム及び方法に関するものであって、詳しくは、ディスプレイを利用するユーザの使用環境などに基づいて、表示するインターフェースを選択し提供するユーザ適応型インターフェース提供システム及び方法に関する。
【背景技術】
【０００２】
コンテンツまたはアプリケーションを接する環境が多様化し細分化され、提供されるサービスの動作環境（ＵＩ／ＵＸ）もまた、様々な環境に露出されることになり、一つのサービス画面であってもユーザの使用環境に応じて適切な動作環境の必要性がさらに求められている。
【０００３】
このような要求に関連して、ユーザの環境に適するようインターフェースの変化を与える方法として、反応型インターフェースという形で提供されるユーザインターフェースを提供する方式がある。しかし、従来の反応型インターフェースは、ウェブブラウザと呼ばれる制限された領域にのみ適用が可能であり、ディスプレイ装置が提供する画面の解像度のみに基づいてサービス画面を変更させる形であるので、実際の操作環境を完全に反映できないという欠点がある。
【０００４】
例えば、 １０２４＊７６８の解像度に合うように設計されたＵＩを５０インチや１００インチの大型ディスプレイ装置で実行する場合、ユーザは過度に大きなボタン、或いは使用できないほどの大きな画面に直面することになる。そのため、様々な環境で、実際の使用環境に合わせて操作環境を変更できるようにするユーザ適応型インターフェース提供方法が求められる。
【発明の概要】
【発明が解決しようとする課題】
【０００５】
本発明は、前述した問題点を解決するために、ディスプレイそのものに内蔵された、或いはディスプレイに装着されたカメラを利用してユーザの使用環境に関する情報を獲得し、獲得した情報に基づいてディスプレイを介して表示されるユーザインターフェースを設定または変更した後に提供するユーザ適応型インターフェース提供システム及び方法を提供することを目的とする。
【課題を解決するための手段】
【０００６】
本発明は、ディスプレイを利用するユーザに対する映像を獲得するカメラと、前記映像に基づいて前記ディスプレイを利用する前記ユーザの物理的な使用環境または使用パターンを分析する分析部と、及び前記物理的な使用環境或いは前記使用パターンに基づいて前記ディスプレイに表示するインターフェースを選択し提供するインターフェース提供部を有するユーザ適応型インターフェース提供システムを提供する。
【０００７】
本発明の一面によると、前記分析部は、前記映像から前記ディスプレイと前記ユーザ間の距離、前記ディスプレイに対する前記ユーザの相対的な位置を分析するユーザ適応型インターフェース提供システムを提供する。
【０００８】
本発明の他の一面によると、前記分析部は、前記映像から前記ユーザの動きに応じた前記ユーザの移動方向及び前記ディスプレイに対する相対的な位置変化を分析するユーザ適応型インターフェース提供システムを提供する。
【０００９】
本発明の他の一面によると、前記インターフェース提供部は、前記ディスプレイのサイズに基づいて前記インターフェースのサイズを選択し提供するユーザ適応型インターフェース提供システムを提供する。
【００１０】
本発明の他の一面によると、前記インターフェース提供部は、前記ディスプレイに対する前記ユーザの相対的な位置に基づいて前記インターフェースの位置を選択し提供するユーザ適応型インターフェース提供システムを提供する。
【００１１】
本発明の他の一面によると、前記インターフェース提供部は、前記ユーザの動きに応じて前記ディスプレイに表示されたインターフェースの位置を変更するユーザ適応型インターフェース提供システムを提供する。
【００１２】
本発明の他の一面によると、前記インターフェース提供部は、前記ユーザの使用パターンに応じて、前記インターフェースの種類を選択し提供するユーザ適応型インターフェース提供システムを提供する。
【００１３】
本発明の他の一面によると、前記カメラは、前記ディスプレイに内蔵されたり、前記ディスプレイに装着されたことを特徴とするユーザ適応型インターフェース提供システムを提供する。
【００１４】
一方、本発明は、ディスプレイを利用するユーザに対する映像を獲得するステップと、前記映像から前記ディスプレイを利用するユーザの物理的な使用環境または使用パターンを分析するステップと、及び前記物理的な使用環境及び前記使用パターンのうち少なくとも一つに基づいて前記ディスプレイに表示されるインターフェースを選択し提供するステップを有するユーザ適応型インターフェース提供方法で使用される。
【発明の効果】
【００１５】
本発明は、ディスプレイに内蔵または装着されたカメラを利用してユーザの使用環境を分析し、分析された結果に応じてユーザが容易に操作できるようユーザインターフェースを調節することによって、様々な環境においてユーザの使用環境に適したインターフェースを提供することができる。
【図面の簡単な説明】
【００１６】
【図１】本発明の一実施形態に係るユーザ適応型インターフェース提供システムの構造を示すブロック図である。
【図２】本発明の一実施形態に係るユーザ適応型インターフェース提供方法の手順を示すフローチャートである。
【図３】本発明の一実施形態に係るユーザ適応型インターフェース提供システムが、ユーザ適応型インターフェースを提供する例を示した図である。
【図４】本発明の一実施形態に係るユーザ適応型インターフェース提供システムが、ユーザ適応型インターフェースを提供する例を示した図である。
【図５】本発明の一実施形態に係るユーザ適応型インターフェース提供システムが、ユーザ適応型インターフェースを提供する例を示した図である。
【図６】本発明の一実施形態に係るユーザ適応型インターフェース提供システムが、ユーザ適応型インターフェースを提供する例を示した図である。
【図７】本発明の一実施形態に係るユーザ適応型インターフェース提供システムが、ユーザ適応型インターフェースを提供する例を示した図である。
【図８】本発明の一実施形態に係るユーザ適応型インターフェース提供システムが、ユーザ適応型インターフェースを提供する例を示した図である。
【図９】本発明の一実施形態に係るユーザ適応型インターフェース提供システムが、ユーザ適応型インターフェースを提供する例を示した図である。
【図１０】本発明の一実施形態に係るユーザ適応型インターフェース提供システムが、ユーザ適応型インターフェースを提供する例を示した図である。
【図１１】本発明の一実施形態に係るユーザ適応型インターフェース提供システムが、ユーザ適応型インターフェースを提供する例を示した図である。
【図１２】本発明の一実施形態に係るユーザ適応型インターフェース提供システムが、ユーザ適応型インターフェースを提供する例を示した図である。
【図１３】本発明の一実施形態に係るユーザ適応型インターフェース提供システムが、ユーザ適応型インターフェースを提供する例を示した図である。
【図１４】本発明の一実施形態に係るユーザ適応型インターフェース提供システムが、ユーザ適応型インターフェースを提供する例を示した図である。
【図１５】本発明の一実施形態に係るユーザ適応型インターフェース提供システムが、ディスプレイのサイズを測定する方法を説明するための図である。
【図１６】本発明の一実施形態に係るユーザ適応型インターフェース提供システムが、ディスプレイのサイズを測定する方法を説明するための図である。
【発明を実施するための形態】
【００１７】
本発明の利点及び特徴、そしてそれらを達成する方法は添付される図面とともに詳細に後述されている実施形態を参照されたい。しかし、本発明は以下で開示される実施形態に限定されるのではなく、様々な形態で具現され、単に本実施形態は、本発明の開示を完全にし、本発明の属する技術分野における通常の知識を持つ者に発明の範疇を完全に知らせるために提供されるものであり、本発明は、請求項の範疇によって定義される。
【００１８】
一方、本明細書で使用する用語は、実施形態を説明するためのものであり、本発明を制限するものではない。本明細書において、単数形は文句で特に言及しない限り、複数形も含まれる。明細書で使用される「有する（ｃｏｍｐｒｉｓｅｓ、ｃｏｍｐｒｉｓｉｎｇ）」は、言及された構成素子、ステップ、動作及び/または素子に一つ以上の他の構成素子、ステップ、動作及び/または素子の存在または追加することを排除しない。以下、添付図面を参照して本発明の実施形態を詳細に説明する。
【００１９】
図１は本発明の一実施形態に係るユーザ適応型インターフェース提供システムの構造を示すブロック図である。
本発明の一実施形態に係るユーザ適応型インターフェース提供システムは、カメラ１００、分析部１１０及びインターフェース提供部１２０を有する。
【００２０】
本発明は、ディスプレイに内蔵または装着されたカメラ１００を利用してユーザの使用環境を分析し、分析結果に応じたユーザインターフェースを提供するものであって、カメラ１００は、ディスプレイに内蔵されたことを基本に、一つのディスプレイ自体に内蔵されずディスプレイに連結されて使用されるものであり得る。
カメラ１００は、ディスプレイが使用状態になると、ディスプレイを利用するユーザに対する映像を獲得する。カメラ１００は、獲得した映像を分析部１１０に転送する。
【００２１】
分析部１１０は、カメラ１００が獲得した映像を分析して、ディスプレイを利用するユーザの物理的な使用環境または使用パターンを分析する。分析部１１０は、カメラ１００から映像が転送され、持続的に使用環境などを分析することもでき、最初の使用環境を分析した後、映像内のユーザの位置など使用環境が変更されることが感知された場合にのみ使用環境などを分析することもできる。
【００２２】
分析部１１０は、カメラ１００から転送された映像からディスプレイとユーザと間の距離、ディスプレイを利用するユーザのディスプレイに対する相対的な位置、ディスプレイを利用するユーザの位置が変更される場合、ユーザの動きに応じたユーザの移動方向、ユーザの相対的な位置の変化などを分析する。
【００２３】
分析部１１０は、カメラ１００から転送された映像から分析したユーザの物理的な使用環境または使用パターンに対する情報をインターフェース提供部１２０に転送する。
【００２４】
インターフェース提供部１２０は、分析部１１０から転送されたユーザの物理的な使用環境または使用パターンに対する分析結果に基づいて、ディスプレイに表示するインターフェースを選択し、提供する。また、インターフェース提供部１２０は、ユーザの使用環境などの変化に伴い、既に表示されたインターフェースを調整して新しいインターフェースを提供することもできる。
【００２５】
インターフェース提供部１２０は、使用環境等に基づいて表示するインターフェースを選択する。
【００２６】
例えば、ディスプレイのサイズに基づいて、ディスプレイに表示するインターフェースのサイズを選択し提供することができ、ディスプレイとユーザ間の距離及びディスプレイに対するユーザの相対的な位置などに基づいて、インターフェースの位置を選択し提供することもでき、ディスプレイを利用するユーザの使用パターンに基づいて表示するインターフェースの種類を選択し提供することもできる。
【００２７】
インターフェース提供部１２０が提供するユーザインターフェースに対する具体的な実施形態は、図３ないし図１４で後述する。
図２は、本発明の一実施形態に係るユーザ適応型インターフェース提供方法の手順を示したフローチャートである。
ユーザ適応型インターフェース提供システムは、インターフェースを表示するディスプレイに内蔵または装着されたカメラを介してディスプレイを利用するユーザの映像を獲得する（Ｓ２００）。獲得した映像からディスプレイを利用するユーザの物理的な使用環境または使用パターンなどを分析する（Ｓ２２０）。分析結果に基づいて、使用環境に適したインターフェースを選択し、提供する（Ｓ２４０）。
【００２８】
例えば、ディスプレイのサイズに基づいて、インターフェースのサイズを選択して提供したり、ディスプレイとユーザ間の距離、ディスプレイに対するユーザの相対的な位置などに基づいて、インターフェースの位置を選択し提供したり、使用パターンに基づいてインターフェースの種類を選択して提供することができる。
【００２９】
また、インターフェースを提供した以降も、ユーザの動きに応じたユーザの位置変化を感知し(Ｓ２６０)、ユーザの位置（大型スクリーンの場合、ユーザの位置、タブレットのようなディスプレイの場合、ユーザの指の位置など）が変更されたことが感知されると、ユーザの位置に応じてインターフェースの位置を調整して提供する（Ｓ２８０）。
【００３０】
図３ないし図１４は、本発明の適応型インターフェース提供システムに係る実施形態を示す。
図３ないし図６は、本発明の一実施形態に係るユーザ適応型インターフェース提供システムの一般的な実施形態を示す。
図３に示すように、ディスプレイに内蔵または装着されたカメラは、ユーザの映像を獲得する。図４は、カメラを介して獲得した映像の例を示したもので、カメラを介して獲得した映像は、物理的なユーザの環境に応じてユーザとカメラとの距離、位置、現在の状況などを表示する指標となる。
【００３１】
図５は、使用環境に応じて適したインターフェースを提供する例を示したものであり、標準サイズのディスプレイ（例えば、ＰＣモニター）に適した状態で生成されたインターフェースが、小さいサイズのディスプレイ（例えば、タブレットＰＣ）や、大きなサイズのディスプレイ（例えば、電子黒板）に表示される場合、インターフェースのサイズを調整して示したものである。つまり、標準サイズのディスプレイ解像度に適したインターフェースが、大きなサイズのディスプレイにそのまま表示されると、過度に大きなインターフェースが提供されることになるので、ディスプレイのサイズに適してインターフェースのサイズを調整して表示する。
【００３２】
図６は、ユーザの現在位置と状況に応じてアクセスが良好な状態で動作環境を持続的に再構成する例を示す。
カメラを介して獲得した映像を持続的に分析して、ユーザの位置またはディスプレイとの距離が変更されると、既に表示されたインターフェースの位置を変更して提供することにより、ユーザは、どのような使用環境でもアクセスが容易なインターフェースが提供される。
【００３３】
図７ないし図１０は、大きなサイズのディスプレイにインターフェースを表示する場合の実施形態を示す。
図７に示すように、小さいサイズのディスプレイに最適化したインターフェースをそのまま表示すると、過度に大きくなるので、図８に示されたようにインターフェースのサイズ、位置などを調整して表示する。そして、図９に示すように、ユーザの位置が変更されたことがカメラを介して感知されると、図１０に示されたように、インターフェースの位置を調整してユーザの利便性を最大化しながら、使用環境に適したインターフェースを提供する。
【００３４】
図１１ないし図１４は、小さいサイズのディスプレイにインターフェースを表示する場合の実施形態を示す。
図１１に示すように、画面のサイズが小さい場合、大きなサイズのディスプレイに最適化した操作環境は、操作し難く且つアクセスし難いので、図１２に示すように、ディスプレイのカメラで分析した使用環境を基に、ユーザが操作し易い適切なサイズと位置とに操作環境を構成して提供することによってユーザの利便性を最大化する。
【００３５】
また、図１３及び図１４に示すように、セルフカメラ撮影のように、ユーザが特定の動作をする場合、殆どの撮影ボタンが中央に位置して操作し難い点があるので、特定の状況である場合、これを分析して（例えば、指の位置など）の操作環境を変化させてユーザに使い易いインターフェースを提供することもできる。
【００３６】
図１５と図１６は、本発明の一実施形態に係るユーザ適応型インターフェース提供システムが、ユーザの使用環境を分析するに当たり、ディスプレイの実際の画面サイズを特定する方法を示す。
【００３７】
図１５は、画面タッチ機能の有る場合を示したもので、全体画面状態で二つの点を画面上に浮かべて、人差し指と中指で２点をタッチする。２点の動きに応じて、人差し指と中指を動かして、２点は両方に開けられ二本の指が最大限に開けられるように誘導する。
【００３８】
この時、大人を基準にすると、この二本の指の平均的な距離は９０ｍｍ内外であるので、これに基づいて画面の実際の横サイズを計算する。この時、画面の実際の比率と画面に表現された解像度の比率が異なることを考慮して垂直の高さを再測定しなければならないので、横サイズを測定した後、２点が元の通りに狭くなりつつ垂直になるように回転する。垂直になった状態で再び２点を上下に開け、二本の指が最大限に開けられるように誘導し、これを元に、実際の縦サイズを計算する。
【００３９】
図１６は、画面のタッチがなく、外装カメラ装置がある場合を示したもので、全体画面状態で、一定のサイズ（ｐｉｘｅｌ）の基準イメージを画面の中央に浮かべる（例えば、黒５００×５００ピクセルの正方形イメージ）。基準距離でディスプレイを水平、垂直を合わせて撮影する。撮影された画像の解像度と実際の解像度間の誤差を計算して撮影時の歪曲されたイメージの補正係数として使用する。
この時、撮影で検出された画面の解像度は、撮影された画像でのスクリーンサイズ/撮影画像からの基準イメージサイズ＊実際の基準イメージサイズになり、補正係数は、撮影で検出された画面解像度/実際の画面解像度になる。
【００４０】
撮影されたイメージは、メタ情報を提供し、メタ情報によって実際の焦点距離と３５ｍｍフィルムの焦点距離を知ることができ、これにより実際のサイズが分かる。
撮影距離（基準距離）／焦点距離＊センサーサイズ＊（撮影されたスクリーンサイズ/イメージ全体サイズ＊補正係数）
撮影距離（基準距離）／３５ｍｍフィルム換算焦点距離＊フィルムサイズ（横３６、縦２４ｍｍ）＊（撮影されたスクリーンサイズ/イメージ全体サイズ＊補正係数）
【００４１】
以上の説明は、本発明の技術的思想を例示的に説明したものに過ぎず、本発明の属する技術分野における通常の知識を有する者であれば、本発明の本質的特徴を外さない範囲で様々な変更及び変形が可能である。従って、本発明に表現された実施形態は、本発明の技術的思想を限定するのではなく、説明するためのものであり、これらの実施形態によって本発明の権利範囲が限定されるのではない。本発明の保護範囲は、特許請求の範囲によって解釈しなければならず、それと同等か、均等な範囲内にある全ての技術的思想は、本発明の権利範囲に含まれるものと解釈しなければならない。
【図１】
2015132865.tif 000003
【図２】
2015132865.tif 000004
【図３】
2015132865.tif 000005
【図４】
2015132865.tif 000006
【図５】
2015132865.tif 000007
【図６】
2015132865.tif 000008
【図７】
2015132865.tif 000009
【図８】
2015132865.tif 000010
【図９】
2015132865.tif 000011
【図１０】
2015132865.tif 000012
【図１１】
2015132865.tif 000013
【図１２】
2015132865.tif 000014
【図１３】
2015132865.tif 000015
【図１４】
2015132865.tif 000016
【図１５】
2015132865.tif 000017
【図１６】
2015132865.tif 000018
【手続補正書】
【提出日】平成26年12月5日(2014.12.5)
【手続補正１】
【補正対象書類名】特許請求の範囲
【補正対象項目名】全文
【補正方法】変更
【補正の内容】
【特許請求の範囲】
【請求項１】
ディスプレイを利用するユーザの映像を獲得するカメラと、
前記映像に基づいて前記ディスプレイを利用する前記ユーザの物理的な使用環境または使用パターンを分析する分析部と、
前記物理的な使用環境または前記使用パターンに基づいて前記ディスプレイに表示するインターフェースを選択し提供するインターフェース提供部と、
を有し、
前記インターフェース提供部は、
前記ディスプレイのサイズに基づいて前記インターフェースのサイズを選択し提供する
ユーザ適応型インターフェース提供システム。
【請求項２】
前記分析部は、
前記映像から前記ディスプレイと前記ユーザ間の距離、前記ディスプレイに対する前記ユーザの相対的な位置を分析する請求項１に記載のユーザ適応型インターフェース提供システム。
【請求項３】
前記分析部は、
前記映像から前記ユーザの動きに応じた前記ユーザの移動方向及び前記ディスプレイに対する相対的な位置変化を分析する請求項１に記載のユーザ適応型インターフェース提供システム。
【請求項４】
前記インターフェース提供部は、
前記ディスプレイに対する前記ユーザの相対的な位置に基づいて前記インターフェースの位置を選択し提供する請求項１に記載のユーザ適応型インターフェース提供システム。
【請求項５】
前記インターフェース提供部は、
前記ユーザの動きに応じて前記ディスプレイに表示されたインターフェースの位置を変更する請求項１に記載のユーザ適応型インターフェース提供システム。
【請求項６】
前記インターフェース提供部は、
前記ユーザの使用パターンに応じて、前記インターフェースの種類を選択し提供する請求項１に記載のユーザ適応型インターフェース提供システム。
【請求項７】
前記カメラは、
前記ディスプレイに内蔵または装着されていることを特徴とする請求項１に記載のユーザ適応型インターフェース提供システム。
【請求項８】
ディスプレイを利用するユーザの映像を獲得するステップと、
前記映像から前記ディスプレイを利用するユーザの物理的な使用環境または使用パターンを分析するステップと、
前記物理的な使用環境及び前記使用パターンのうち少なくとも一つに基づいて前記ディスプレイに表示されるインターフェースを選択し提供するステップと、
を有し、
前記インターフェースを選択し提供するステップでは、
前記ディスプレイのサイズに基づいて前記インターフェースのサイズを選択し提供する
ユーザ適応型インターフェースの提供方法。
【請求項９】
前記ディスプレイを利用するユーザの映像を獲得するステップでは、
前記ディスプレイに内蔵または装着されたカメラを用いて前記ユーザの映像を獲得する請求項８に記載のユーザ適応型インターフェースの提供方法。
【請求項１０】
前記ユーザの物理的な使用環境または使用パターンを分析するステップでは、
前記映像から前記ディスプレイと前記ユーザ間の距離及び前記ディスプレイに対する前記ユーザの相対的な位置のうち少なくとも一つを分析する請求項８に記載のユーザ適応型インターフェースの提供方法。
【請求項１１】
前記ユーザの物理的な使用環境または使用パターンを分析するステップでは、
前記映像から前記ディスプレイに対する前記ユーザの相対的な位置変化を分析する請求項８に記載のユーザ適応型インターフェースの提供方法。
【請求項１２】
前記インターフェースを選択し提供するステップでは、
前記ディスプレイに対する前記ユーザの相対的な位置に基づいて前記インターフェースの位置を選択し提供する請求項８に記載のユーザ適応型インターフェースの提供方法。
【請求項１３】
前記インターフェースを選択し提供するステップでは、
前記映像から獲得した前記ユーザの使用パターンに基づいて前記インターフェースの種類を選択し提供する請求項８に記載のユーザ適応型インターフェースの提供方法。
【請求項１４】
前記インターフェースを選択し提供するステップでは、
前記ユーザの動きに応じて、前記インターフェースの位置を持続的に変更する請求項８に記載のユーザ適応型インターフェースの提供方法。
【手続補正書】
【提出日】平成27年6月8日(2015.6.8)
【手続補正１】
【補正対象書類名】特許請求の範囲
【補正対象項目名】全文
【補正方法】変更
【補正の内容】
【特許請求の範囲】
【請求項１】
ディスプレイを利用するユーザの映像を獲得するカメラと、
前記映像に基づいて前記ディスプレイを利用する前記ユーザの物理的な使用環境または使用パターンを分析する分析部と、
前記物理的な使用環境または前記使用パターンに基づいて前記ディスプレイに表示するインターフェースを選択し提供するインターフェース提供部と、
を有し、
前記インターフェース提供部は、
前記ディスプレイのサイズに基づいて前記インターフェースのサイズを選択して提供し、
前記分析部は、
前記ディスプレイの画面上に２つの点を表示し、前記ユーザに、前記２つの点を人差し指と中指で触れさせるように誘導し、さらに前記２つの点の動きに応じて、人差し指と中指を動かして２本の指の間を最大限に開くように誘導し、２本の指が最大限に開かれた状態での前記２つの点の間の距離に、所定の具体的な距離を当てはめることにより、前記ディスプレイの実際のサイズを計算する、
ユーザ適応型インターフェース提供システム。
【請求項２】
前記分析部は、
前記映像から前記ディスプレイと前記ユーザ間の距離、前記ディスプレイに対する前記ユーザの相対的な位置を分析する請求項１に記載のユーザ適応型インターフェース提供システム。
【請求項３】
前記分析部は、
前記映像から前記ユーザの動きに応じた前記ユーザの移動方向及び前記ディスプレイに対する相対的な位置変化を分析する請求項１に記載のユーザ適応型インターフェース提供システム。
【請求項４】
前記インターフェース提供部は、
前記ディスプレイに対する前記ユーザの相対的な位置に基づいて前記インターフェースの位置を選択し提供する請求項１に記載のユーザ適応型インターフェース提供システム。
【請求項５】
前記インターフェース提供部は、
前記ユーザの動きに応じて前記ディスプレイに表示されたインターフェースの位置を変更する請求項１に記載のユーザ適応型インターフェース提供システム。
【請求項６】
前記インターフェース提供部は、
前記ユーザの使用パターンに応じて、前記インターフェースの種類を選択し提供する請求項１に記載のユーザ適応型インターフェース提供システム。
【請求項７】
前記カメラは、
前記ディスプレイに内蔵または装着されていることを特徴とする請求項１に記載のユーザ適応型インターフェース提供システム。
【請求項８】
ディスプレイを利用するユーザの映像を獲得するステップと、
前記映像から前記ディスプレイを利用するユーザの物理的な使用環境または使用パターンを分析するステップと、
前記物理的な使用環境及び前記使用パターンのうち少なくとも一つに基づいて前記ディスプレイに表示されるインターフェースを選択し提供するステップと、
を有し、
前記インターフェースを選択し提供するステップでは、
前記ディスプレイの画面上に２つの点を表示し、前記ユーザに、前記２つの点を人差し指と中指で触れさせるように誘導し、さらに前記２つの点の動きに応じて、人差し指と中指を動かして２本の指の間を最大限に開くように誘導し、２本の指が最大限に開かれた状態での前記２つの点の間の距離に、所定の具体的な距離を当てはめることにより、前記ディスプレイの実際のサイズを計算し、
前記ディスプレイのサイズに基づいて前記インターフェースのサイズを選択して提供する、
ユーザ適応型インターフェースの提供方法。
【請求項９】
前記ディスプレイを利用するユーザの映像を獲得するステップでは、
前記ディスプレイに内蔵または装着されたカメラを用いて前記ユーザの映像を獲得する請求項８に記載のユーザ適応型インターフェースの提供方法。
【請求項１０】
前記ユーザの物理的な使用環境または使用パターンを分析するステップでは、
前記映像から前記ディスプレイと前記ユーザ間の距離及び前記ディスプレイに対する前記ユーザの相対的な位置のうち少なくとも一つを分析する請求項８に記載のユーザ適応型インターフェースの提供方法。
【請求項１１】
前記ユーザの物理的な使用環境または使用パターンを分析するステップでは、
前記映像から前記ディスプレイに対する前記ユーザの相対的な位置変化を分析する請求項８に記載のユーザ適応型インターフェースの提供方法。
【請求項１２】
前記インターフェースを選択し提供するステップでは、
前記ディスプレイに対する前記ユーザの相対的な位置に基づいて前記インターフェースの位置を選択し提供する請求項８に記載のユーザ適応型インターフェースの提供方法。
【請求項１３】
前記インターフェースを選択し提供するステップでは、
前記映像から獲得した前記ユーザの使用パターンに基づいて前記インターフェースの種類を選択し提供する請求項８に記載のユーザ適応型インターフェースの提供方法。
【請求項１４】
前記インターフェースを選択し提供するステップでは、
前記ユーザの動きに応じて、前記インターフェースの位置を持続的に変更する請求項８に記載のユーザ適応型インターフェースの提供方法。